【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
短期不連続受信「ＤＲＸ」タイマーを制御する方法であって、
媒体アクセス制御の制御要素が受信されているかどうかと、短期ＤＲＸサイクルが構成されているかどうかとを確認することと、
該確認に応答して、該短期ＤＲＸタイマーを停止することと、
長期ＤＲＸサイクルを利用することと
を含む、方法。
【請求項２】
短期不連続受信「ＤＲＸ」タイマーを制御する方法であって、
媒体アクセス制御の制御要素が受信されているかどうかと、短期ＤＲＸサイクルが構成されているかどうかとを確認することと、
該確認に応答して、該短期ＤＲＸタイマーを再開することと
を含む、方法。
【請求項３】
短期不連続受信「ＤＲＸ」タイマーを制御する方法であって、
媒体アクセス制御の制御要素が受信されているかどうかと、短期ＤＲＸサイクルが構成されているかどうかとを確認することと、
該確認に応答して、該短期ＤＲＸタイマーを維持することと
を含む、方法。
【請求項４】
短期不連続受信「ＤＲＸ」タイマーを制御するためのユーザ機器であって、
ネットワーク要素と通信するように適合されており、さらに媒体アクセス制御の制御要素を受信するように適合されている通信サブシステムと、
プロセッサであって、該プロセッサは、該媒体アクセス制御の制御要素が受信されているかどうかと、短期ＤＲＸサイクルが構成されているかどうかとを確認することと、該確認に応答して、該短期ＤＲＸタイマーを停止することと、該ユーザ機器を長期ＤＲＸサイクルへ遷移させることとを行うように適合されている、プロセッサと
を備えている、ユーザ機器。
【請求項５】
短期不連続受信「ＤＲＸ」タイマーを制御するためのユーザ機器であって、
ネットワーク要素と通信するように適合されており、さらに媒体アクセス制御の制御要素を受信するように適合されている通信サブシステムと、
プロセッサであって、該プロセッサは、該媒体アクセス制御の制御要素が受信されているかどうかと、短期ＤＲＸサイクルが構成されているかどうかとを確認することと、該確認に応答して、該短期ＤＲＸタイマーを再開することとを行うように適合されている、プロセッサと
を備えている、ユーザ機器。
【請求項６】
短期不連続受信「ＤＲＸ」タイマーを制御するためのユーザ機器であって、
ネットワーク要素と通信するように適合されており、さらに媒体アクセス制御の制御要素を受信するように適合されている通信サブシステムと、
プロセッサであって、該プロセッサは、該媒体アクセス制御の制御要素が受信されているかどうかと、短期ＤＲＸサイクルが構成されているかどうかとを確認することと、該確認に応答して、該短期ＤＲＸタイマーを維持することとを行うように適合されている、プロセッサと
を備えている、ユーザ機器。
【請求項７】
再送タイマーが開始することを防止する方法であって、
ハイブリッド確認応答要求プロセスのためのダウンリンク伝送の最大回数の値を受信することと、
該ハイブリッド確認応答要求プロセスのためのダウンリンク伝送の回数が該値以上であるかどうかを確認することと、
該確認に応答して、該再送タイマーが開始することを防止することと
を含む、方法。
【請求項８】
再送タイマーが開始することを防止する方法であって、
特定の冗長バージョン番号の値を受信することと、
該ハイブリッド確認応答要求プロセスの冗長バージョン番号が該値に等しいかどうかを確認することと、
該確認に応答して、該再送タイマーが開始することを防止することと
を含む、方法。
【請求項９】
再送タイマーが開始することを防止する方法であって、
ハイブリッド確認応答要求プロセスのためのダウンリンク伝送の回数の満了値を受信することと、
該ハイブリッド確認応答要求プロセスのためのダウンリンク伝送の回数が該満了値以上であるかどうかを確認することと、
該確認に応答して、該再送タイマーが開始することを防止することと
を含む、方法。
【請求項１０】
再送タイマーの持続時間を制限するか、または、該再送タイマーの開始を防止する方法であって、
不連続受信媒体アクセス制御の制御要素を受信することと、
該不連続受信媒体アクセス制御の制御要素に対応するハイブリッド確認応答要求プロセスを識別することと、
該ハイブリッド確認応答要求プロセスのための該再送タイマーの開始を防止するか、または、該再送タイマーを停止することと
を含む、方法。
【請求項１１】
前記識別することは、前記不連続受信媒体アクセス制御の制御要素内のプロセス識別子を利用する、請求項１０に記載の方法。
【請求項１２】
前記識別することは、伝送の最大回数を有する前記ハイブリッド確認応答要求プロセス、または、最大値を有する前記再送タイマーを選択する、請求項１０に記載の方法。
【請求項１３】
再送タイマーが開始することを防止するように適合されているユーザ機器であって、
ハイブリッド確認応答要求プロセスのためのダウンリンク伝送の最大回数の値を受信するように適合されている通信サブシステムと、
該ハイブリッド確認応答要求プロセスのためのダウンリンク伝送の回数が該値以上であるかどうかを確認するように適合されているプロセッサであって、該確認に応答して、該プロセッサは、該再送タイマーが開始することを防止するように適合されている、プロセッサと
を備えている、ユーザ機器。
【請求項１４】
再送タイマーが開始することを防止するように適合されているユーザ機器であって、
特定の冗長バージョン番号の値を受信するように適合されている通信サブシステムと、
該ハイブリッド確認応答要求プロセスの冗長バージョン番号が該値に等しいかどうかを確認するように適合されているプロセッサであって、該確認に応答して、該プロセッサは、該再送タイマーが開始することを防止するように適合されている、プロセッサと
を備えている、ユーザ機器。
【請求項１５】
再送タイマーが開始することを防止するように適合されているユーザ機器であって、
ハイブリッド確認応答要求プロセスのためのダウンリンク伝送の回数の満了値を受信するように適合されている通信サブシステムと、
該ハイブリッド確認応答要求プロセスのためのダウンリンク伝送の回数が該満了値以上であるかどうかを確認するように適合されているプロセッサであって、該確認に応答して、該プロセッサは、該再送タイマーが開始することを防止するように適合されている、プロセッサと
を備えている、ユーザ機器。
【請求項１６】
再伝送タイマーの持続時間を制限するように、または、該再伝送タイマーの開始を防止するように適合されているユーザ機器であって、
不連続受信媒体アクセス制御の制御要素を受信するように適合されている通信サブシステムと、
該不連続受信媒体アクセス制御の制御要素に対応するハイブリッド確認応答要求プロセスを識別するように適合されているプロセッサであって、該プロセッサは、該ハイブリッド確認応答要求プロセスのための該再送タイマーの開始を防止するように、または、該再送タイマーを停止するようにさらに適合されている、プロセッサと
を備えている、ユーザ機器。
【請求項１７】
前記プロセッサは、前記ハイブリッド確認応答要求プロセスを識別するように、前記不連続受信媒体アクセス制御の制御要素内のプロセス識別子を利用する、請求項１６に記載のユーザ機器。
【請求項１８】
前記プロセッサは、伝送の最大回数を有する前記ハイブリッド確認応答要求プロセス、または、該ハイブリッド確認応答要求プロセスを識別するために最大値を有する前記再送タイマーを選択する、請求項１６に記載のユーザ機器。